(57)【要約】【課題】  必要なときに実験台等の天板上やその他の場所で、既設の実験器具の周囲にノックダウン方式にて組立てて使用することができ、構造が簡単で安価であるにも係わらず必要最小限の機能を備え、これまで使用が義務付けられてなかった種類の比較的安全な実験にも使用することが可能な組立式ドラフトチャンバーを提供する。【解決手段】  側面視四角形の側枠体６を両側に配し、両側枠体の四隅部を上連結杆７と下連結杆８で着脱可能に連結してフレーム１を形成し、側枠体の外側に側面板１０を挟んで側面視四角形の化粧枠体９を着脱可能に取付けて側面体２を形成し、両側枠体の後端間で上連結杆と下連結杆との間に処理空間内部からの爆風にて開放する背面体３を設け、両側枠体の前端間で上連結杆と下連結杆との間に開閉扉体４を設け、フレームの上面に天蓋５を載置して着脱可能に連結した。【選択図】        図４
2007014830.tif 000002
【特許請求の範囲】
【請求項１】
側面視四角形の側枠体を両側に配し、両側枠体の四隅部を上連結杆と下連結杆で着脱可能に連結して既設の実験器具を取り囲むようにフレームを形成し、前記側枠体の外側に側面板を挟んで側面視四角形の化粧枠体を着脱可能に取付けて側面体を形成し、前記両側枠体の後端間で上連結杆と下連結杆との間に背面体を着脱可能に設け、前記両側枠体の前端間で上連結杆と下連結杆との間に開閉扉体を設け、更に前記フレームを形成する両側枠体の上面と前後の上連結杆の上面とに天蓋を載置して着脱可能に連結したことを特徴とする組立式ドラフトチャンバー。
【請求項２】
前記側面体は、前記側枠体に外嵌する側面視四角形の化粧枠体と、前記側枠体の外形よりも小さい側面板とからなり、前記側枠体の下面板に立起形成した係止爪に前記化粧枠体の下縁の折曲片に形成した係合孔を落とし込み係合させるとともに、前記側枠体の上面板に重なった前記化粧枠体の上化粧板をネジ止めし、前記側枠体の当止面と化粧枠体の押え面との間に前記側面板の周縁部を挟持してなる請求項１記載の組立式ドラフトチャンバー。
【請求項３】
前記背面体は、前記フレームの上連結杆の下面に吊支部材を固着し、該吊支部材の垂下板の背面側に形成した少なくとも左右一対のフックに、前記背面板の上縁部に形成した横長スリット孔を係止するとともに、該背面板の下縁部を前記下連結杆の上面に固着した当止部材の立起板の背面側に重なるように位置させてなる請求項１又は２記載の組立式ドラフトチャンバー。
【請求項４】
前記開閉扉体は、網入りガラス又は飛散防止フィルム貼りガラスからなる複数の引戸を、上転結杆と下連結杆に固着した上下レール部材で引き違い可能に支持したものである請求項１〜３何れかに記載の組立式ドラフトチャンバー。
【発明の詳細な説明】
【技術分野】
【０００１】
本発明は、組立式ドラフトチャンバーに係わり、更に詳しくはノックダウン方式にて実験台等の天板上やその他の場所に設置することが可能な簡易型の組立式ドラフトチャンバーに関するものである。
【背景技術】
【０００２】
従来は、特許文献１には、台座、一対の側面パネル、内面に排気通路体を設けた後面パネル、排気口体を設けた天井パネル、観察扉を設けた前面上部サッシュおよび点検扉を設けた前面下部サッシュを相互に組合せて組立てられたドラフト本体と、このドラフト本体の内側に配置された作業台とを具備し、前記側面パネルおよび後面パネルの各内面には前記作業台を着脱可能に支持する作業台支持部が設けられるとともに、前記側面パネルおよび後面パネルの内部にはパイプが配設され、さらに互いに隣り合う前記各パネルは、一方のパネルの縁部に設けられ前記ドラフト本体の内側から回動操作可能なフックと、他方のパネルの縁部に設けられ前記フック係脱可能に係止するピンとからなる連結装置により連結されているドラフトチャンバーが開示されている。
【０００３】
また、特許文献２には、下台上面の後方と背面パネル下面を凹凸の嵌合にて背面パネルを立設するとともに、該背面パネルの両側にフック片と係止穴にて側面パネルを係合させて下台の両側に側面パネルを立設し、前記背面パネル及び両側面パネルの上端に嵌合しうる嵌合部を有する天井パネルを嵌合にて取り付け、背面パネル及び両側面パネルの上部と天井パネルの嵌合部を水平方向からビス止めして組立てたドラフトチャンバーが開示されている。
【０００４】
これらのドラフトチャンバーは、下部に専用の下台が一体的に設けられ、それ自体で独立して使用できる構造となっている。特に、特許文献１に開示されたものは、内部に給水栓、ガスコック、流しを備えた作業台が設けられた本格的なドラフトチャンバーである。
【特許文献１】特公平６−１６８５７号公報（第1図、第２図）
【特許文献２】特開平９−１７３８７３号公報（図１〜図１３）
【発明の開示】
【発明が解決しようとする課題】
【０００５】
そこで、本発明が前述の状況に鑑み、解決しようとするところは、必要なときに簡易に実験台等の天板上やその他の場所で、既設の実験器具の周囲にノックダウン方式にて組立てて使用することが可能であり、また構造が簡単で安価であるにも係わらず必要最小限の機能を備え、これまで使用が義務付けられてなかった種類の比較的安全な実験にも使用することが可能な組立式ドラフトチャンバーを提供する点にある。
【課題を解決するための手段】
【０００６】
本発明は、前述の課題解決のために、側面視四角形の側枠体を両側に配し、両側枠体の四隅部を上連結杆と下連結杆で着脱可能に連結して既設の実験器具を取り囲むようにフレームを形成し、前記側枠体の外側に側面板を挟んで側面視四角形の化粧枠体を着脱可能に取付けて側面体を形成し、前記両側枠体の後端間で上連結杆と下連結杆との間に背面体を着脱可能に設け、前記両側枠体の前端間で上連結杆と下連結杆との間に開閉扉体を設け、更に前記フレームを形成する両側枠体の上面と前後の上連結杆の上面とに天蓋を載置して着脱可能に連結した組立式ドラフトチャンバーを構成した（請求項１）。
【０００７】
ここで、前記側面体は、前記側枠体に外嵌する側面視四角形の化粧枠体と、前記側枠体の外形よりも小さい側面板とからなり、前記側枠体の下面板に立起形成した係止爪に前記化粧枠体の下縁の折曲片に形成した係合孔を落とし込み係合させるとともに、前記側枠体の上面板に重なった前記化粧枠体の上化粧板をネジ止めし、前記側枠体の当止面と化粧枠体の押え面との間に前記側面板の周縁部を挟持してなるものである（請求項２）。
【０００８】
そして、前記背面体は、前記フレームの上連結杆の下面に吊支部材を固着し、該吊支部材の垂下板の背面側に形成した少なくとも左右一対のフックに、前記背面板の上縁部に形成した横長スリット孔を係止するとともに、該背面板の下縁部を前記下連結杆の上面に固着した当止部材の立起板の背面側に重なるように位置させてなることが好ましい（請求項３）。
【０００９】
また、前記開閉扉体は、網入りガラス又は飛散防止フィルム貼りガラスからなる複数の引戸を、上転結杆と下連結杆に固着した上下レール部材で引き違い可能に支持したものであることが好ましい（請求項４）。
【発明の効果】
【００１０】
以上にしてなる請求項１に係る発明の組立式ドラフトチャンバーは、側面視四角形の側枠体を既設の実験器具を挟んで両側に配し、両側枠体の四隅部を上連結杆と下連結杆で着脱可能に連結して既設の実験器具を取り囲むようにフレームを形成し、該フレームに順次、側面体、背面体、開閉扉体及び天蓋を連結して組立てるので、既設の実験器具をそのままにしてその周囲に簡易型のドラフトチャンバーを簡単に設けることができるのである。従って、従来はドラフトチャンバーを使用しなかった実験器具も、後施工によって実験器具の周囲にドラフトチャンバーを組立てて使用できるので、実験器具からガスや飛沫が発生しても室内に漏れることがないのである。また、組立式であるにも係わらず必要な強度を確保でき、側面体はフレームの側枠体を利用して化粧枠体とで側面板を挟んで構成するものであるので、外観性の向上が図れるとともに、最小限の気密性を確保することができる。
【００１１】
請求項２によれば、側面板をフレームの側枠体の当止面と化粧枠体の押え面とで挟んで保持してので、簡単に組立てができるにも係わらず、外観性に優れ、また側面板の最小限の保持強度も確保できるのである。
【００１２】
請求項３によれば、処理空間内部を排気する通常の使用状態では、処理空間内部が減圧状態となるので、背面板の上下縁部は吊支部材の垂下板と当止部材の立起板に密接して最小限の気密性を保つことができ、また処理空間内部で予期せぬ爆発が生じても、前記背面板は吊下げられただけであるので、爆風によって後方へ開放し、その爆風を後方へ容易に逃すことができ、それにより正面側に居る作業者の安全が確保できるのである。
【００１３】
請求項４によれば、開閉扉体をガラスからなる引戸で構成したので、通常の使用状態では処理空間内部を覗くことができ、また網入りガラス又は飛散防止フィルム貼りガラスで引戸を形成したので、仮にガラスが爆風で破損しても飛び散らないのである。
【発明を実施するための最良の形態】
【００１４】
次に、添付図面に示した実施形態に基づき、本発明を更に詳細に説明する。図１〜図３は本発明に係る組立式ドラフトチャンバーＡを実験台Ｂの天板上に設置した使用状態を示し、図４〜図９は組立式ドラフトチャンバーＡの構造を示し、図中符号１はフレーム、２は側面体、３は背面体、４は開閉扉体、５は天蓋をそれぞれ示している。
【００１５】
本発明に係る組立式ドラフトチャンバーＡは、実験台等の天板上に、フレーム１を組立てた後、該フレーム１に側面体２，２、背面体３及び開閉扉体４を順次取付けるとともに、天蓋５を取付けて箱型に構成するものである。本発明に係る組立式ドラフトチャンバーＡの設置場所は、実験台等の天板上に限らないが、底面を塞いでないので、平らな平面部に載置することが要求される。そして、本発明に係る組立式ドラフトチャンバーＡは、前記側枠体６，６を既設の実験器具を挟んで両側に配し、両側枠体６，６の四隅部を上連結杆７，７と下連結杆８，８で着脱可能に連結して既設の実験器具を取り囲むようにフレーム１を形成し、該フレーム１に順次、側面体２，２、背面体３、開閉扉体４及び天蓋５を連結して組立てるものである。従って、既設の実験器具の周囲に、該実験器具をそのままにして、後施工によって組立式ドラフトチャンバーＡを設けることが可能となるのである。
【００１６】
ここで、図４〜図６に示すように、前記フレーム１は、両側に側面視四角形の側枠体６，６を配し、両側枠体６，６の四隅間を上連結杆７，７と下連結杆８，８で着脱可能に連結して構成している。前記側面体２は、前記側枠体６と同じく側面視四角形の化粧枠体９との間に透明合成樹脂製の側面板１０を挟み込み、該化粧枠体９を側枠体６に着脱可能に連結して構成している。前記背面体３は、前記フレーム１の後方の上連結杆７と下連結杆８との間に透明合成樹脂製の単又は複数の背面板１１を着脱可能に取付けて構成している。また、前記開閉扉体４は、前記フレーム１の前方の上連結杆７と下連結杆８との間に透明な強化ガラス製の複数の引戸１２，…を引き違い可能に設けて構成している。そして、前記天蓋５は、透明合成樹脂製の一体成形品あるいは板材を接合して立体的に形成したものであり、前記フレーム１の両側側枠体６，６の上面と前後の上連結杆７，７の上面に載置し、着脱可能に連結している。
【００１７】
更に詳しくは、前記フレーム１の側枠体６は、両側縦枠１３，１３の上下端に上下横枠１４，１４を連結した構造を有し、前記縦枠１３の内面側の上端部には前記上連結杆７をネジ止め連結するための係止孔１５，１５を形成するとともに、下端部には前記下連結杆８をネジ止めするための通孔１６，１６を形成し、前記縦枠１３と横枠１４の外面側には同一面となして当止面１７を周囲に形成するとともに、上横枠１４には上面板１８を外側へ延設し、下横枠１４にも下面板１９を外側へ延設している。そして、前記側枠体６の下面板１９の両側部と中央部の縁部に係止爪２０，…を立設するとともに、上面板１８には前記化粧枠体９をネジ止めするための下穴２１，…を形成している。また、前記上連結杆７は、断面四角形の角パイプ状の長尺部材であり、端面に固着した固定板２２の上下部に前記側枠体６の係止孔１５，１５に対応してネジ２３，２３を螺合している。実際には、前記ネジ２３は、前記固定板２２の裏面に固着したナットに螺合する。また、前記下連結杆８も断面四角形の角パイプ状の長尺部材であり、同様に端面に固定板２４を固着し、該固定板２４に前記側枠体６の通孔１６，１６に対応して螺孔２５，２５を形成している。
【００１８】
ここで、前記側枠体６の縦枠１３に形成した係止孔１５，１５は、前記上連結杆７のネジ２３，２３の頭部を側方から挿入し、下方へ落とし込んで係止可能な形状、具体的には上部の大孔と下部の小孔を連続させた形状となっている。そして、前記側枠体６を立起状態にして、前記上連結杆７の前記ネジ２３，２３を緩めた状態で、該ネジ２３，２３を側方から前記側枠体６の係止孔１５，１５に挿入し、落とし込み係合させた後、前記ネジ２３，２３を締付けて、側枠体６の上端部の前後端に上連結杆７，７を連結する。それから、両側枠体６，６の他端部の前後端にそれぞれ前記下連結杆８を配し、外側方から前記通孔１６，１６にネジ２６，２６を挿通し、該下連結杆８の端部の螺孔２５，２５に螺合して連結する。それにより、両側枠体６，６の内面側四隅が前記上連結杆７，７と下連結杆８，８で連結されてフレーム１が構成される。
【００１９】
次に、前記側面体２の構造を図４〜図８に基づいて説明する。前記化粧枠体９は、前記側枠体６と同様な外形を有する側面視四角形の部材であり、両側と上側とに前記側枠体６に被さる横化粧板２７，２７と上化粧板２８とを有するとともに、内周部に同一面となして押え面２９を形成し、更に下縁には内方へ形成した折曲片３０に前記側枠体６の係止爪２０，…を受け入れる係合孔３１，…を形成するとともに、前記上化粧板２８で前記側枠体６の上面板１８に形成した下穴２１，…と対応させて通孔３２，…を形成している。また、前記側面板１０は、前記側枠体６の外側に位置させ、下端を下面板１９に載置した状態で、他の三辺縁部が当止面１７に当止し得る大きさを有し、ポリ塩化ビニル樹脂（ＰＶＣ）等の強度が高く、耐薬品性に優れた樹脂板で作製する。
【００２０】
そして、前記側面板１０を前記側枠体６の外側に位置させた状態で、前記化粧枠体９の下端部に形成した折曲片３０の係合孔３１，…を、前記側枠体６の下面板１９の縁部に形成した係合爪２０，…に係合させるとともに、横化粧板２７，２７と上化粧板２８とで側枠体６を外被し、該上化粧板２８と側枠体６の上面板１８の重なり部分を、前記通孔３２，…から挿通したネジ３３を上面板１８の下穴２１，…に螺合して連結する。この状態では、前記側面板１０の両側縁部と上縁部は、前記化粧枠体９の押え面２９で外側から保持され、前記側枠体６の当止面１７とで側面板１０の縁部を内外から保持した状態となる。また、前記側面板１０の後方下隅部に開閉可能なキャップ３４を設け、内部で使用する器具への配線、配管をするための挿通孔を設けることができるようにしている。また、前記側面板１０の周囲は完全に固定していないので、処理空間内部で予期せぬ爆発が発生した場合には、通常は背面体３からその爆風を逃すが、それでも追いつかない場合に、側面板１０に大きな衝撃力が処理空間内部から作用して、該側面板１０が変形して比較的安全な側方へ爆風を逃すことも可能である。
【００２１】
次に、前記背面体３の構造を図４〜図８に基づいて説明する。前記フレーム１の後方の上連結杆７の下面に、断面Ｌ字形の吊支部材３５を固着し、該吊支部材３５の垂下板３６の背面側に少なくとも左右一対のフック３７，…を形成するとともに、後方の下連結杆８の上面に断面Ｌ字形の当止部材３８を固着し、該当止部材３８の立起板３９を前記吊支部材３５の垂下板３６と対向させている。そして、前記背面板１１の上縁部の両側部に、前記フック３７，３７に係止するための横長スリット孔４０，４０を形成し、下縁部は前記当止部材３８の立起板３９に重なるような上下寸法とし、ポリ塩化ビニル樹脂（ＰＶＣ）等の強度が高く、耐薬品性に優れた樹脂板で作製する。本実施形態では、前記背面体３は、上下に設けた吊支部材３５と当止部材３８、及び左右２枚の背面板１１，１１で構成している。ここで、２枚の背面板１１，１１は、前記フレーム１の両側枠体６，６の後方縦枠１３，１３間に密接して配置できる横幅寸法としている。尚、前記吊支部材３５のフック３７に背面板１１の横長スリット孔を係止する代わりに、吊支部材３５又は上連結杆７に可撓性を有する連結部材で背面板１１の上端部を連結してもよい。このように、前記背面体３は、上連結杆７に設けた吊支部材３５のフック３７，…に、前記背面板１１のスリット孔４０，４０を係止し、該背面板１１の下端部の前方移動を下連結杆８に設けた当止部材３８の立起板３９にて当止し、背面板１１の下端部の後方移動はフリーとしたので、仮に実験器具が爆発して爆風が発生しても、処理空間内部からの爆風にて背面板１１が開放するので、その爆風を背面体３から後方へ逃すことができるので、正面側に居る作業者に危害が及ばないので安全である。
【００２２】
そして、前記開閉扉体４は、図４、図７及び図９に示すように、３枚の引戸１２，…を、前記フレーム１の前方の上連結杆７と下連結杆８との間で、両側枠体６，６の前方縦枠１３，１３の間に、上レール部材４１と下レール部材４２とで引き違い可能に支持した構造である。前記上レール部材４１と下レール部材４２は、合成樹脂製又はアルミ製で押出し型材であり、上レール部材４１には、前後に３列の凹溝４３，…を形成し、下レール部材４２には前記凹溝４３，…と対応させて３列の突条４４，…を形成したものである。ここで、前記上レール部材４１の凹溝４３の深さは、後述のように引戸１２を装着時に上方への変位を許容するために十分に深く設定している。そして、前記上レール部材４１は、前記上連結杆７の下面に固着した断面略コ字形の保持部材４６の内部に保持されている。一方、前記下レール部材４２は、下連結杆８の上面に直接、接着等の適宜な手段にて固定している。また、前記引戸１２は、網入りガラス又は飛散防止フィルム貼りガラス等からなる強化ガラス４７の下縁部に金属製の下枠４８を外嵌し、該下枠４８の下向き溝４９内に前記下レール部材４２の突条４４を受け入れるとともに、内蔵したローラ５０で突条４４上を転動するようにしている。また、前記引戸１２の上縁部は、前記上レール部材４１の凹溝４３内に受け入れられている。
【００２３】
そして、前記天蓋５は、ポリ塩化ビニル樹脂（ＰＶＣ）等の強度が高く、耐薬品性に優れた合成樹脂で作製し、図４、図７、図８及び図９に示すように、下方開放した側面視台形の箱型で、平面視において前記フレーム１の上面に周囲を載置することが可能な大きさであり、前後縁部に前後の上連結杆７，７の上面に接合するフランジ部５１，５１を形成するとともに、天部にダクト接続部５２を設けたものである。そして、前記天蓋５の前後フランジ部５１，５１を、前記フレーム１の上連結杆７，７の上面に載置し、該フランジ部５１に形成した取付孔５３，…から挿通したネジ５４，…を、上連結杆７の上面に形成した螺孔５５，…に螺合して取付ける。尚、本実施形態では、前記天蓋５は、合成樹脂製の一体成形品の例を示した。
【００２４】
本発明に係る組立式ドラフトチャンバーＡを実験台Ｂの天板上に設置すると、該天板と側面体２，２、背面体３、開閉扉体４及び天蓋５とで囲まれた処理空間が形成され、前記天蓋５に設けたダクト接続部５２に接続したダクト（図示せず）で排気しながら使用するのである。本発明に係る組立式ドラフトチャンバーＡは、簡易型であり、また使用目的からも完全な気密性は不要であり、内部を排気しながら処理空間で実験を行ったときに、臭気等のガスが外部に漏れなければ足りるのである。
【００２５】
本実施形態では、前記背面体３として、背面板１１の上端部を吊支部材３５の垂下板３６の背面側に吊下げ、下端部を当止部材３８の立起板３９の背面側に位置させたので、処理空間内部を排気した場合には、内部が減圧されて背面板１１は垂下板３６と立起板３９に接触して最小限の気密性を確保することができる。一方、処理空間内部で作業中に、内部で爆発が発生した場合には、その爆風により前記背面板１１が後方へ吹き飛ばされて開放し、処理空間内部の圧力が急上昇することを防ぎ、もって正面側の開閉扉体４の破壊を防止し、正面側に居る作業者を保護することができる。
【００２６】
図１０に示したものは、本発明に係る組立式ドラフトチャンバーＡの他の使用形態を示している。この使用形態では、処理空間内部に小型のチャンバー５６を配し、前記天蓋５を貫通させたダクトホース５７を該チャンバー５６に接続し、その内部を排気して実験するようにしたものである。この場合、本発明に係る組立式ドラフトチャンバーＡは、主に爆発した際の破片や薬品類の飛散防止の役目をするのである。
【図面の簡単な説明】
【００２７】
【図１】本発明に係る組立式ドラフトチャンバーの正面図である。
【図２】同じく背面図である。
【図３】同じく右側面図である。
【図４】本発明に係る組立式ドラフトチャンバーの分解斜視図である。
【図５】フレームと側面体の構造を示す分解斜視図である。
【図６】同じくフレームと側面体の構造を示す拡大分解斜視図である。
【図７】組立途中の状態を示す部分分解斜視図である。
【図８】左半分は縦断正面図、右半分は縦断背面図を示している。
【図９】縦断側面図である。
【図１０】他の使用形態を示す組立式ドラフトチャンバーの正面図である。
【符号の説明】
【００２８】
Ａ  組立式ドラフトチャンバー  Ｂ  実験台
１  フレーム                  ２  側面体
３  背面体                    ４  開閉扉体
５  天蓋                      ６  側枠体
７  上連結杆                  ８  下連結杆
９  化粧枠体                  １０  側面板
１１  背面板                  １２  引戸
１３  縦枠                    １４  横枠
１５  係止孔                  １６  通孔
１７  当止面                  １８  上面板
１９  下面板                  ２０  係合爪
２１  下穴                    ２２  固定板
２３  ネジ                    ２４  固定板
２５  螺孔                    ２６  ネジ
２７  横化粧板                ２８  上化粧板
２９  押え面                  ３０  折曲片
３１  係合孔                  ３２  通孔
３３  ネジ                    ３４  キャップ
３５  吊支部材                ３６  垂下板
３７  フック                  ３８  当止部材
３９  立起板                  ４０  スリット孔
４１  上レール部材            ４２  下レール部材
４３  凹溝                    ４４  突条
４６  保持部材                ４７  強化ガラス
４８  下枠                    ４９  下向き溝
５０  ローラ                  ５１  フランジ部
５２  ダクト接続部            ５３  取付孔
５４  ネジ                    ５５  螺孔
５６  チャンバー              ５７  ダクトホース
【図１】
2007014830.tif 000003
【図２】
2007014830.tif 000004
【図３】
2007014830.tif 000005
【図４】
2007014830.tif 000006
【図５】
2007014830.tif 000007
【図６】
2007014830.tif 000008
【図７】
2007014830.tif 000009
【図８】
2007014830.tif 000010
【図９】
2007014830.tif 000011
【図１０】
2007014830.tif 000012